(57)【要約】【課題】使用者インターフェースの具現のために，入力されるデータのなかで少なくとも一部のデータを立体映像用データに変換することで，使用者インターフェースの少なくとも一部を立体映像で表現する立体映像表示装置を提供する。【解決手段】行列形状で形成され，各々が行方向に交互に配列されている左眼用画素１５０および右眼用画素１６０からなる複数の画素を含む表示部１００と，外部から入力されるデータの中で複数の画素の少なくとも一部の画素にそれぞれ対応する第１データを検出する領域検出部３２０と，第１データを左眼用画素１５０に対応する左眼用データおよび右眼用画素１６０に対応する右眼用データに変換するデータ変換部３３０と，左眼用データおよび右眼用データを配列して立体映像データを合成するデータ合成部３４０と，立体映像データに対応するデータ信号を表示部１００に印加するデータ駆動部４００を含む。【選択図】図６
2007013914.tif 000002
【特許請求の範囲】
【請求項１】
行列形状で形成され，各々が行方向に交互に配列されている左眼用画素および右眼用画素からなる複数の画素を含む表示部と；
外部から入力されるデータのなかで，複数の前記画素の少なくとも一部の前記画素にそれぞれ対応する第１データを検出する領域検出部と；
前記第１データを前記左眼用画素に対応する左眼用データ，および前記右眼用画素に対応する右眼用データに変換するデータ変換部と；
前記左眼用データおよび前記右眼用データを配列して立体映像データを合成するデータ合成部と；
前記立体映像データに対応するデータ信号を前記表示部に印加するデータ駆動部と；
を含むことを特徴とする，立体映像表示装置。
【請求項２】
第２データは，前記第１データに含まれる少なくとも一部のデータであり，
前記データ変換部は，
前記第２データの一部のデータに相当する前記画素が前記行方向に第１数の前記画素だけ，左側に位置した前記左眼用画素に対応するように，前記第２データの一部のデータを前記左眼用データに変換し，
前記第２データの他の一部のデータに相当する前記画素が前記行方向に第２数の前記画素だけ，右側に位置した前記右眼用画素に対応するように，前記第２データの他の一部のデータを前記右眼用データに変換することを特徴とする，請求項１に記載の立体映像表示装置。
【請求項３】
各々の前記第１データにそれぞれ対応し，基準面である前記表示部に対する所定の距離に相当する深さ情報を含む深さ情報マップを用いて，前記第１データに対応する前記深さ情報を前記データ変換部に伝達する深さ情報付加部をさらに含むことを特徴とする，請求項１または２に記載の立体映像表示装置。
【請求項４】
前記データ変換部は，
前記第１データのなかで，一部の第２データを，前記第２データに相当する各々の前記画素が前記行方向に第１数の前記画素だけ，左側または右側に位置した前記左眼用画素または前記右眼用画素に対応するようにして，前記左眼用データまたは前記右眼用データに変換し，
前記第１データのなかで，さらに他の一部の第３データを，前記第３データに相当する各々の前記画素が前記行方向に第２数の前記画素だけ，左側または右側に位置した前記左眼用画素または前記右眼用画素に対応するようにして，前記左眼用データまたは前記右眼用データに変換し，
前記第１数または前記第２数は，前記第２データまたは前記第３データにそれぞれ対応する前記深さ情報によって決定されることを特徴とする，請求項３に記載の立体映像表示装置。
【請求項５】
複数の前記画素によって表現される前記表示部の映像は，使用者インターフェースであることを特徴とする，請求項１〜４のいずれかに記載の立体映像表示装置。
【請求項６】
前記第１データは，前記使用者インターフェースにおいて，使用者によって選択される領域に含まれるデータであることを特徴とする，請求項５に記載の立体映像表示装置。
【請求項７】
前記領域検出部は，前記使用者インターフェースにおいて，前記使用者によって選択される所定のポインティング手段で，選ばれる領域に対応するデータを，前記第１データとして検出することを特徴とする，請求項６に記載の立体映像表示装置。
【請求項８】
前記データ合成部は，前記表示部の複数の前記左眼用画素および複数の前記右眼用画素の配列方法に対応して，前記左眼用データおよび前記右眼用データを配列することを特徴とする，請求項１〜７のいずれかに記載の立体映像表示装置。
【請求項９】
前記データ合成部は，前記データ変換部において，前記第１データから変換された前記左眼用データおよび前記右眼用データと，外部から入力される前記データにおいて，前記第１データを除いた第４データとを配列して，一部領域に前記立体映像データを含むようにデータを合成して前記データ駆動部に伝達することを特徴とする，請求項１〜８のいずれかに記載の立体映像表示装置。
【請求項１０】
前記左眼用画素で表現される映像が，前記使用者の左眼方向に投射され，前記右眼用画素で表現される映像が前記使用者の右眼方向に投射されるように，透明領域および不透明領域が配列されているバリアを含むことを特徴とする，請求項６〜９のいずれかに記載の立体映像表示装置。
【請求項１１】
前記バリアに印加される電圧によって，前記不透明領域が前記透明領域に転換され，または前記透明領域が前記不透明領域に転換されることを特徴とする，請求項１０に記載の立体映像表示装置。
【請求項１２】
前記第１数，前記第２数，または前記深さ情報は，前記使用者によって変更可能であることを特徴とする，請求項６〜１１のいずれかに記載の立体映像表示装置。
【請求項１３】
行列形状で形成され，各々が行方向に交互に配列されている左眼用画素および右眼用画素からなる複数の画素を含む表示部と；
外部から入力されるデータ内に含まれている三次元空間情報を用いて，前記データの深さ情報を抽出する深さ情報抽出部と；
前記深さ情報を用いて，前記データを前記左眼用画素に対応する左眼用データおよび前記右眼用画素に対応する右眼用データに変換するデータ変換部と；
前記左眼用データおよび前記右眼用データを配列して，立体映像データを合成するデータ合成部と；
前記立体映像データに対応するデータ信号を前記表示部に印加するデータ駆動部と；
を含むことを特徴とする，立体映像表示装置。
【請求項１４】
前記データ変換部は，
前記データのなかで，一部の前記データを，前記一部のデータに対応する前記画素が前記行方向に第１数の前記画素だけ，左側に位置した前記左眼用画素に対応するようにして前記左眼用データに変換し，
前記データのなかで，さらに他の一部の前記データを，前記さらに他の一部のデータに対応する前記画素が前記行方向に第２数の前記画素だけ，右側に位置した前記右眼用画素に対応するようにして前記右眼用データに変換することを特徴とする，請求項１３に記載の立体映像表示装置。
【請求項１５】
前記第１数および前記第２数は，前記深さ情報抽出部から伝達される前記深さ情報によって決定されることを特徴とする，請求項１４に記載の立体映像表示装置。
【請求項１６】
複数の前記画素によって表現される前記表示部の映像は，使用者インターフェースであることを特徴とする，請求項１３〜１５のいずれかに記載の立体映像表示装置。
【請求項１７】
前記表示部内に配列されている全ての前記画素に対応する全ての前記データのなかで，一部の前記画素に対応する第１データを検出する領域検出部をさらに含むことを特徴とする，請求項１３〜１６のいずれかに記載の立体映像表示装置。
【請求項１８】
前記領域検出部で検出される前記第１データは，前記使用者インターフェースで使用者が選択した領域に対応するデータであることを特徴とする，請求項１７に記載の立体映像表示装置。
【請求項１９】
前記深さ情報抽出部は，前記領域検出部で検出される前記第１データに対し，抽出された前記深さ情報に所定の前記深さ情報をさらに付け加えることを特徴とする，請求項１７または１８に記載の立体映像表示装置。
【請求項２０】
前記データ合成部は，前記表示部の複数の前記左眼用画素および複数の前記右眼用画素の配列方法に対応して，前記左眼用データおよび前記右眼用データを配列することを特徴とする，請求項１３〜１９のいずれかに記載の立体映像表示装置。
【請求項２１】
前記左眼用画素で表現される映像が，前記使用者の左眼方向に投射され，前記右眼用画素で表現される映像が，前記使用者の右眼方向に投射されるように，透明領域および不透明領域が配列されているバリアを含むことを特徴とする，請求項１８〜２０のいずれかに記載の立体映像表示装置。
【請求項２２】
前記バリアに印加される電圧によって，前記不透明領域が前記透明領域に転換され，または前記透明領域が前記不透明領域に転換されることを特徴とする，請求項２１に記載の立体映像表示装置。
【請求項２３】
行列形状で形成され，各々が行方向に交互に配列されている左眼用画素および右眼用画素からなる複数の画素を含む表示部と；
外部から入力されるデータのなかで，複数の前記画素の少なくとも一部の前記画素にそれぞれ対応する第１データを検出する領域検出部と；
前記第１データが二次元映像用データの場合，前記第１データを，前記左眼用画素に対応する左眼用データおよび前記右眼用画素に対応する右眼用データに変換する第１データ変換部と；
前記第１データが三次元映像用データの場合，前記第１データ内に含まれている三次元空間情報を用いて，前記第１データのそれぞれに対する深さ情報を抽出する深さ情報抽出部によって抽出される前記深さ情報を用いて，前記第１データを，前記左眼用画素に対応する左眼用データおよび前記右眼用画素に対応する右眼用データに変換する第２データ変換部と；
前記第１データ変換部または前記第２データ変換部で生成される前記左眼用データおよび前記右眼用データを配置して立体映像データを合成するデータ合成部と；
前記立体映像データに対応するデータ信号を前記表示部に印加するデータ駆動部と；
を含むことを特徴とする，立体映像表示装置。
【請求項２４】
前記第１データ変換部は，
前記第１データのなかで少なくとも一部の第２データを，前記第２データに対応する各々の前記画素が前記行方向に第１数の前記画素だけ，左側または右側に位置した前記左眼用画素または前記右眼用画素に対応するようにして，前記左眼用データまたは前記右眼用データに変換し，
前記第１データのなかでさらに他の一部の第３データを，前記第３データに対応する各々の前記画素が前記行方向に第２数の前記画素だけ，左側または右側に位置した前記左眼用画素または前記右眼用画素に対応するようにして，前記左眼用データまたは前記右眼用データに変換し，
前記第１数または前記第２数は，前記表示部の大きさまたは解像度に応じて使用者によって決定されることを特徴とする，請求項２３に記載の立体映像表示装置。
【請求項２５】
前記深さ情報抽出部は，前記領域検出部で検出される前記第１データに対して，抽出された前記深さ情報に所定の前記深さ情報をさらに付け加えることを特徴とする，請求項２３または２４に記載の立体映像表示装置。
【請求項２６】
複数の前記画素によって表現される前記表示部の映像は，使用者インターフェースであることを特徴とする，請求項２３〜２５のいずれかに記載の立体映像表示装置。
【請求項２７】
前記第１データは，前記使用者インターフェースで，前記使用者によって選択される領域に含まれるデータであることを特徴とする，請求項２６に記載の立体映像表示装置。
【請求項２８】
前記データ合成部は，前記表示部の前記複数の左眼用画素および前記複数の右眼用画素の配列方法に対応して，前記左眼用データおよび前記右眼用データを配列することを特徴とする，請求項２３〜２７のいずれかに記載の立体映像表示装置。
【請求項２９】
有線通信または無線通信のための通信装置と；
少なくとも一部の立体映像を含む使用者インターフェースが具現されるディスプレイ部と；
前記通信装置を介して受信されるデータ，または既に記憶されているデータを前記ディスプレイ部によって表示させる，請求項１〜２８のいずれかに記載の立体映像表示装置と；
を含むことを特徴とする，移動通信端末機。
【請求項３０】
立体映像表示活性化信号に応じて，所定のデータを立体映像に変換して表示することを特徴とする，請求項２９に記載の移動通信端末機。
【請求項３１】
前記立体映像表示活性化信号は，使用者によって入力される信号，または前記移動通信端末機が所定の条件を満たす場合に発生される信号であることを特徴とする，請求項３０に記載の移動通信端末機。
【請求項３２】
前記所定の条件は，前記移動通信端末機に前記有線通信または前記無線通信により，電話着信信号またはＳＭＳ信号が印加される条件であることを特徴とする，請求項３１に記載の移動通信端末機。
【発明の詳細な説明】
【技術分野】
【０００１】
本発明は，立体映像表示装置に係り，特に，立体映像を含む使用者インターフェースを具現した立体映像表示装置，および立体映像表示装置を用いた移動通信端末機に関するものである。
【背景技術】
【０００２】
立体映像表示装置は，使用者の左眼と右眼に相異なる映像を提供することにより，偏光眼鏡のような別の装備を用いることなく，使用者に距離感および立体感を有する立体映像を提供する。
【０００３】
立体映像表示装置は，その表示部の前面にパララックスバリア（ｐａｒａｌｌａｘ  ｂａｒｒｉｅｒ），レンチキュラーレンズ（ｌｅｎｔｉｃｕｌａｒ  ｌｅｎｓ），またはマイクロレンズアレイ（ｍｉｃｒｏ−ｌｅｎｓ  ａｒｒａｙ）などを備えて，表示部で具現される左眼用映像と右眼用映像をそれぞれ使用者の左眼方向と右眼方向に空間分割する方式を採択している。
【０００４】
使用者インターフェースは，使用者に当該機器の使用のための機器設定，または機器制御手段などを提供し，使用者の設定または制御による結果を使用者に提供する。使用者インターフェースは，例えば，コンピュータや携帯電話などの表示部に映し出される映像であり，メニューアイコンなど機器設定や制御のためのツールを備えるものである。したがって，使用者が使用者インターフェースを操作する場合，使用者インターフェース内の多数のメニューのなかで，使用者が選択したメニューを他のメニューと区別できるように表現する必要がある。
【発明の開示】
【発明が解決しようとする課題】
【０００５】
しかし，使用者が使用者インターフェース内の複数のメニューのなかで，少なくとも一つ以上のメニューを選択した際，使用者に選択されたメニューと選択されなかったメニューの区別がつきにくいという問題があった。
【０００６】
そこで，本発明は，このような問題に鑑みてなされたもので，その目的とするところは，使用者に立体映像を含む使用者インターフェースを提供する立体映像表示装置を提供することにある。特に，使用者インターフェースの具現のために，入力されるデータのなかで，少なくとも一部のデータを立体映像用データに変換することにより，使用者インターフェースの少なくとも一部を立体映像で表現する立体映像表示装置，および立体映像表示装置を用いた移動通信端末機を提供することにある。
【課題を解決するための手段】
【０００７】
上記課題を解決するために，本発明の第１の観点によれば，行列形状で形成され，各々が行方向に交互に配列されている左眼用画素および右眼用画素からなる複数の画素を含む表示部と；外部から入力されるデータのなかで，複数の上記画素の少なくとも一部の上記画素にそれぞれ対応する第１データを検出する領域検出部と；上記第１データを上記左眼用画素に対応する左眼用データおよび上記右眼用画素に対応する右眼用データに変換するデータ変換部と；上記左眼用データおよび上記右眼用データを配列して，立体映像データを合成するデータ合成部と；上記立体映像データに対応するデータ信号を上記表示部に印加するデータ駆動部と；を含む立体映像表示装置が提供される。
【０００８】
本発明によれば，外部から入力されるデータが二次元映像用データである時，使用者インターフェースで使用者により選択される領域，例えば，メニューアイコンなどに相当するデータを立体映像データに変換し，使用者が選択した領域を立体映像化できるので，使用者にとって，選択した領域が識別しやすくなる。
【０００９】
第２データは，上記第１データの少なくとも一部のデータであり，上記データ変換部は，上記第２データの一部のデータに相当する上記画素が上記行方向に第１数の上記画素だけ，左側に位置した上記左眼用画素に対応するように上記第２データの一部のデータを上記左眼用データに変換し，上記第２データの他の一部のデータに相当する上記画素が上記行方向に第２数の上記画素だけ，右側に位置した上記右眼用画素に対応するように上記第２データの他の一部のデータを上記右眼用データに変換することができる。
【００１０】
各々の上記第１データにそれぞれ対応し，基準面である上記表示部に対する所定の距離に相当する深さ情報を含む深さ情報マップを用いて，上記第１データに対応する上記深さ情報を上記データ変換部に伝達する深さ情報付加部をさらに含むことができる。
【００１１】
上記データ変換部は，上記第１データのなかで，一部の第２データを，上記第２データに相当する各々の上記画素が上記行方向に第１数の上記画素だけ，左側または右側に位置した上記左眼用画素または上記右眼用画素に対応するようにして，上記左眼用データまたは上記右眼用データに変換し，上記第１データのなかで，さらに他の一部の第３データを，上記第３データに相当する各々の上記画素が上記行方向に第２数の上記画素だけ，左側または右側に位置した上記左眼用画素または上記右眼用画素に対応するようにして，上記左眼用データまたは上記右眼用データに変換することができる。また，上記第１数または上記第２数は，上記第２データまたは上記第３データにそれぞれ対応する上記深さ情報によって決定されることができる。
【００１２】
複数の上記画素によって表現される上記表示部の映像は，使用者インターフェースであってよい。
【００１３】
上記第１データは，上記使用者インターフェースにおいて，使用者によって選択される領域に含まれるデータであってよい。
【００１４】
上記領域検出部は，上記使用者インターフェースにおいて，上記使用者によって選択される所定のポインティング手段で，選ばれる領域に対応するデータを，上記第１データとして検出することができる。
【００１５】
上記データ合成部は，上記表示部の複数の上記左眼用画素および複数の上記右眼用画素の配列方法に対応して，上記左眼用データおよび上記右眼用データを配列することができる。
【００１６】
上記データ合成部は，上記データ変換部において，上記第１データから変換された上記左眼用データおよび上記右眼用データと，外部から入力される上記データにおいて，上記第１データを除いた第４データとを配列して，一部領域に上記立体映像データを含むようにデータを合成して上記データ駆動部に伝達することができる。
【００１７】
上記左眼用画素で表現される映像が，上記使用者の左眼方向に投射され，上記右眼用画素で表現される映像が，上記使用者の右眼方向に投射されるように，透明領域および不透明領域が配列されているバリアを含むことができる。
【００１８】
上記バリアに印加される電圧によって，上記不透明領域が上記透明領域に転換され，または上記透明領域が上記不透明領域に転換されることができる。
【００１９】
上記第１数，上記第２数，または上記深さ情報は，上記使用者によって変更可能である。
【００２０】
また，上記課題を解決するために，本発明の第２観点によれば，行列形状で形成され，各々が行方向に交互に配列されている左眼用画素および右眼用画素からなる複数の画素を含む表示部と；外部から入力されるデータ内に含まれている三次元空間情報を用いて，上記データの深さ情報を抽出する深さ情報抽出部と；上記深さ情報を用いて，上記データを上記左眼用画素に対応する左眼用データまたはおよび上記右眼用画素に対応する右眼用データに変換するデータ変換部と；上記左眼用データおよび上記右眼用データを配列して，立体映像データを合成するデータ合成部と；上記立体映像データに対応するデータ信号を上記表示部に印加するデータ駆動部と；を含む立体映像表示装置が提供される。
【００２１】
本発明によれば，外部から入力されるデータが三次元映像用データである場合，外部から入力されるデータに含まれる深さ情報（三次元空間情報）を用いて，データを立体映像データに変換することができる。また，使用者インターフェースで使用者により選択された領域に相当するデータ（第１データ）に対して，さらに深さ情報を付加することができるので，使用者によって選択された領域を他の領域に比べて，より立体化できる。従って，使用者は，自らが選択した領域を識別しやすくなる。
【００２２】
上記データ変換部は，上記データのなかで，一部の上記データを，上記一部のデータに対応する上記画素が上記行方向に第１数の上記画素だけ，左側に位置した上記左眼用画素に対応するようにして上記左眼用データに変換し，上記データのなかで，さらに他の一部の上記データを，上記さらに他の一部のデータに対応する上記画素が上記行方向に第２数の上記画素だけ，右側に位置した上記右眼用画素に対応するようにして上記右眼用データに変換することができる。
【００２３】
上記第１数および上記第２数は，上記深さ情報抽出部から伝達される上記深さ情報によって決定されることができる。
【００２４】
複数の上記画素によって表現される上記表示部の映像は，使用者インターフェースであってよい。
【００２５】
上記表示部内に配列されている全ての上記画素に対応する全ての上記データのなかで，一部の上記画素に対応する第１データを検出する領域検出部をさらに含むことができる。
【００２６】
上記領域検出部で検出される上記第１データは，上記使用者インターフェースで使用者が選択した領域に対応するデータであってよい。
【００２７】
上記深さ情報抽出部は，上記領域検出部で検出される上記第１データに対し，抽出された上記深さ情報に所定の上記深さ情報をさらに付け加えることができる。
【００２８】
上記データ合成部は，上記表示部の複数の上記左眼用画素および複数の上記右眼用画素の配列方法に対応して，上記左眼用データおよび上記右眼用データを配列することができる。
【００２９】
上記左眼用画素で表現される映像が，上記使用者の左眼方向に投射され，上記右眼用画素で表現される映像が，上記使用者の右眼方向に投射されるように，透明領域および不透明領域が配列されているバリアを含むことができる。
【００３０】
上記バリアに印加される電圧によって，上記不透明領域が上記透明領域に転換され，または上記透明領域が上記不透明領域に転換されることができる。
【００３１】
上記課題を解決するために，本発明の第３の観点によれば，行列形状で形成され，各々が行方向に交互に配列されている左眼用画素および右眼用画素からなる複数の画素が配列されている表示部と；外部から入力されるデータのなかで，上記複数の画素の少なくとも一部の上記画素にそれぞれ対応する第１データを検出する領域検出部と；上記第１データが二次元映像用データの場合，上記第１データを，上記左眼用画素に対応する左眼用データおよび上記右眼用画素に対応する右眼用データに変換する第１データ変換部と；上記第１データが三次元映像用データの場合，上記第１データ内に含まれている三次元空間情報を用いて，上記第１データのそれぞれに対する深さ情報を抽出する深さ情報抽出部によって抽出される上記深さ情報を用いて，上記第１データを，上記左眼用画素に対応する左眼用データおよび上記右眼用画素に対応する右眼用データに変換する第２データ変換部と；上記第１データ変換部または上記第２データ変換部で生成される上記左眼用データおよび上記右眼用データを配置して立体映像データを合成するデータ合成部と；上記立体映像データに対応するデータ信号を，上記表示部に印加するデータ駆動部と；を含む立体映像表示装置が提供される。
【００３２】
上記第１データ変換部は，上記第１データのなかで少なくとも一部の第２データを，上記第２データに対応する上記画素が上記行方向に第１数の上記画素だけ，左側または右側に位置した上記左眼用画素または上記右眼用画素に対応するようにして，上記左眼用データまたは上記右眼用データに変換し，上記第１データのなかでさらに他の一部の第３データを，上記第３データに対応する上記画素が上記行方向に第２数の上記画素だけ，左側または右側に位置した上記左眼用画素または上記右眼用画素に対応するようにして，上記左眼用データまたは上記右眼用データに変換することができる。また，上記第１数または上記第２数は，上記表示部の大きさまたは解像度に応じて，使用者によって決定されることができる。
【００３３】
上記深さ情報抽出部は，上記領域検出部で検出される上記第１データに対して，抽出された上記深さ情報に所定の上記深さ情報をさらに付け加えることができる。
【００３４】
複数の上記画素によって表現される上記表示部の映像は，使用者インターフェースであってよい。
【００３５】
上記第１データは，上記使用者インターフェースで，上記使用者によって選択される領域に含まれるデータであってよい。
【００３６】
上記データ合成部は，上記表示部の上記複数の左眼用画素および上記複数の右眼用画素の配列方法に対応して，上記左眼用データおよび上記右眼用データを配列することができる。
【００３７】
上記課題を解決するために，本発明の第４の観点によれば，有線通信または無線通信のための通信装置と；少なくとも一部の立体映像を含む使用者インターフェースが具現されるディスプレイ部と；上記通信装置を介して受信されるデータ，または既に記憶されているデータを上記ディスプレイ部によって表示させる上記立体映像表示装置と；を含む移動通信端末機が提供される。
【００３８】
立体映像表示活性化信号に応じて，所定のデータを立体映像に変換して表示することができる。
【００３９】
上記立体映像表示活性化信号は，使用者によって入力される信号，または上記移動通信端末機が所定の条件を満たす場合に発生される信号であってよい。
【００４０】
上記所定の条件は，上記移動通信端末機に上記有線通信または上記無線通信により，電話着信信号またはＳＭＳ信号が印加される条件であってよい。
【発明の効果】
【００４１】
以上説明したように本発明によれば，使用者インターフェースが平面映像で具現されている場合，使用者インターフェースの一部領域を立体映像で具現することができる立体映像表示装置，および立体映像表示装置を用いた移動通信端末機を提供できる。したがって，本発明の立体映像表示装置において，使用者インターフェースの一部領域を立体映像で具現して，使用者に，識別力が一層高くて使用が容易な立体映像使用者インターフェースを提供することができる。
【発明を実施するための最良の形態】
【００４２】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００４３】
まず，本発明の実施形態に係る立体映像表示装置を説明するに先立ち，立体映像表示の原理について概略的に説明する。
【００４４】
一般に，ヒトの左眼および右眼は，一つの立体対象物を観察する時，互いに少し違う位置で見ることになるので，観察者は，左眼および右眼を通じて，互いに少し違う映像情報を認識することになる。観察者は，このように互いに少し違う映像情報を組み合わせて立体対象物に対する深さ情報を獲得し，立体感を感じることになる。
【００４５】
立体映像表示装置は，観察者が実際に立体対象物を観察する時，観察者の左眼および右眼が見る映像を観察者に提供することにより，観察者は，立体映像を感じることができる。
【００４６】
この際，観察者の左眼および右眼が見る映像の差をディスパリティ（ｄｉｓｐａｒｉｔｙ）と言う。この際，ディスパリティが正の値を有する場合，観察者は，立体対象物が所定の基準面より観察者方向に身近に位置するものと感じることになり，ディスパリティが負の値を有する場合，観察者は，立体対象物が基準面より観察者の反対方向に遠く位置するものと感じることになる。
【００４７】
図１は，ディスパリティによって観察者が感じる立体映像を示す。図１に示すように，正のディスパリティを有する円筒状映像は，基準面に対して観察者に近く位置するものと感じられ，負のディスパリティを有する四角形映像は，基準面に対して観察者から遠く位置するものと感じられることになる。一方，零のディスパリティを有するハート映像は，基準面に位置するものと感じられることになる。本発明の明細書において，‘立体映像’とは，表示される映像が所定の表示装置の表示部の一面を基準面とした場合，表示される映像が基準面に対して観察者方向に近接して位置するものと感じられるか，または，基準面に対して観察者の反対方向に遠く位置するものと感じられる映像を意味する。一方，‘平面映像’とは，表示される映像が基準面上に位置するものと感じられる映像を意味する。‘立体映像表示装置’とは，先に定義される立体映像を表示することができる表示装置を意味する。
【００４８】
本発明の実施形態においては，パララックスバリアを用いて左眼と右眼の映像を分離して立体効果を提供する立体映像表示装置を具体的な例として挙げて説明する。しかし，本発明の保護範囲がパララックスバリア方式の立体映像表示装置に限定されるものではなく，レンチキュラーレンズ方式の立体映像表示装置などにも適用されることができる。
【００４９】
本発明の実施形態においては，液晶表示装置を用いて具現した立体映像表示装置を例として具体的に説明する。しかし，本発明の実施形態の立体映像表示装置としては，液晶表示装置以外の有機発光表示装置，プラズマ表示装置，または電界放出表示装置などを用いることができる。
【００５０】
図２は，本発明の実施形態に係る立体映像表示装置の概略図である。図２に示す立体映像表示装置は，表示部１００，バリア１００’，走査駆動部２００，データ処理部３００，データ駆動部４００，光源５００，光源制御部６００，モード変換部７００，およびタイミング制御部８００を含む。光源５００は，面光源から形成され，表示部１００の後面に形成できるが，図２においては，説明の便宜上，光源５００が表示部１００の下端に形成されるものとして示す。
【００５１】
表示部１００は，選択信号を伝達する複数の走査線（Ｓ１〜Ｓｎ），複数の走査線と絶縁状態で交差するように形成され，データ信号を伝達する複数のデータ線（Ｄ１〜Ｄｍ），および走査線とデータ線の交差点に形成された複数の副画素（図示せず）を含む。本発明の実施形態においては，赤色（Ｒ）表示のための赤色副画素，緑色（Ｇ）表示のための緑色副画素，および青色（Ｂ）表示のための青色副画素が一つの画素を形成する。
【００５２】
また，本発明の実施形態においては，表示部１００の複数の画素は，左眼用映像に対応する画素（以下，‘左眼用画素’）および右眼用映像に対応する画素（以下，‘右眼用画素’）を含む。本発明の実施形態においては，左眼用画素（Ｒ副画素，Ｇ副画素，およびＢ副画素）がデータ線Ｄｉ，Ｄ（ｉ＋１），Ｄ（ｉ＋２）にそれぞれ連結され，右眼用画素（Ｒ副画素，Ｇ副画素およびＢ副画素）が隣接するデータ線Ｄ（ｉ＋３），Ｄ（ｉ＋４），Ｄ（ｉ＋５）にそれぞれ連結される（ここで，ｉは，１以上で（ｍ−６）以下）。一方，左眼用画素の副画素がデータ線Ｄｉに連結され，右眼用画素の副画素がデータ線Ｄ（ｉ＋１）に連結されるように副画素単位で交互に繰り返して配列されることができる。具体的に，左眼用画素および右眼用画素は，互いに平行に繰り返して配列されてストライプ形状またはジグザグ形状を形成することができる。このような左眼用画素および右眼用画素の配列は，バリア１００’によって適宜変更されることができる。
【００５３】
表示部１００の副画素は，走査線とデータ線にそれぞれ連結される所定の画素駆動回路を含む。画素駆動回路は，走査線から印加される選択信号に応じて，データ線から印加されるデータ信号に対応する明るさで光源５００から印加される光を観察者に提供する。
【００５４】
バリア１００’は，表示部１００のいずれか一面に配置され，表示部１００の左眼用画素および右眼用画素の配列方法に対応するように形成された不透明領域（図示せず）と透明領域（図示せず）を含む。バリア１００’は，不透明領域と透明領域を用いて表示部１００の左眼用画素および右眼用画素からそれぞれ投射される左眼用映像と右眼用映像をそれぞれ観察者の左眼方向および右眼方向に分離して提供する。バリア１００’の不透明領域と透明領域は，表示部１００の左眼用画素および右眼用画素の配列方法によってストライプ形状またはジグザグ形状に形成されることができる。
【００５５】
本発明の実施形態のバリア１００’は，相異なるレベルの電圧が印加される二つの電極および二つの電極の間に形成される液晶を含み，タイミング制御部８００から入力されるモード信号（Ｓｍ）に対応したモード変換部７００の制御により，二つの電極に所定の電圧を印加して液晶の配列を転換することで，不透明領域を透明領域に変換し，または透明領域を不透明領域に転換する。したがって，本発明の実施形態における立体映像表示装置は，表示部１００を通じて平面映像を表示しようとする場合，バリア１００’の不透明領域の全てを透明領域に転換する。この際，データ駆動部４００は，左眼用データおよび右眼用データの区別がないデータ信号を印加し，表示部１００の画素は，左眼用画素および右眼用画素の区別なしに印加されるデータ信号に対応する映像を表示する。一方，立体映像を表示しようとする場合，バリア１００’の不透明領域の一部を透明領域に転換する。この際，データ駆動部４００は，左眼用データおよび右眼用データを含むデータ信号を表示部１００の左眼用画素および右眼用画素に適切に印加して，観察者に立体映像を提供する。ここで，左眼用データおよび右眼用データとは，外部から入力されるデータのうち，一部のデータを立体映像データに変換したものである。
【００５６】
図３は，図２の立体映像表示装置によって立体映像が表示される概念を示す図である。以下，図３に基づいて，図２の表示部１００およびバリア１００’を通じて観察者が立体映像を感じる方法について概略的に説明する。図３は，観察者が左眼用画素および右眼用画素を通じて立体映像を観察する姿を，図２の表示部１００およびバリア１００’をＡ−Ａ’線に沿って切断した断面で示す。
【００５７】
図３に示すように，表示部１００は，交互に繰り返して配列された複数の左眼用画素１５０および複数の右眼用画素１６０を含み，バリア１００’は，複数の左眼用画素１５０および複数の右眼用画素１６０の配列方向と同一方向に交互に繰り返して，表示部１００に対して平行に配列された不透明領域１５０’と透明領域１６０’を含む。表示部１００の左眼用画素１５０より構成される左眼用映像は，バリア１００’の透明領域１６０’を通じて左眼１８０に投射され，表示部１００の右眼用画素１６０より構成される右眼用映像は，バリア１００’の透明領域１６０’を通じて右眼１７０に投射される。バリア１００’の不透明領域１５０’は，表示部１００の左眼用画素１５０および右眼用画素１６０が透明領域１６０’を通じてそれぞれ左眼および右眼に映像を投射するように光投射経路を形成する。
【００５８】
観察者は，バリア１００’の透明領域１６０’を通じて表示部１００に表示される映像を見ることになるが，観察者の左眼１８０と右眼１７０は，同一の透明領域１６０’を通じてもそれぞれ表示部１００の相異なる領域を見ることになる。すなわち，観察者は，左眼と右眼が透明領域１６０’を通じて，それぞれ互いに隣接した左眼用画素１５０および右眼用画素１６０で表示される映像を見ることになる。
【００５９】
左眼用画素１５０から投射される左眼用映像は，右眼用映像から所定のディスパリティを有する映像に形成され，右眼用画素１６０から投射される右眼用映像は，左眼用映像から所定のディスパリティを有する映像に形成される。したがって，観察者は，左眼用画素１５０から投射される左眼用映像および右眼用画素１６０から投射される右眼用映像をそれぞれ観察者の左眼および右眼で認識する時，実際の立体対象物を左眼および右眼で見るような深さ情報を得ることになって立体感を感じることになる。
【００６０】
また，図２に示す光源５００は，赤色（Ｒ），緑色（Ｇ），青色（Ｂ）の発光ダイオード（図示せず）を含み，それぞれ赤色（Ｒ），緑色（Ｇ），青色（Ｂ）に相当する光を表示部１００に出力する。光源５００の赤色（Ｒ），緑色（Ｇ），青色（Ｂ）の発光ダイオードは，それぞれ表示部１００のＲ副画素，Ｇ副画素およびＢ副画素に光を出力する。
【００６１】
光源制御部６００は，タイミング制御部８００から出力される制御信号（Ｓｂ）に応じて光源５００の発光ダイオードの点灯時期を制御する。この際，データ駆動部４００からデータ信号をデータ線に供給する期間と，光源制御部６００によって赤色（Ｒ），緑色（Ｇ），青色（Ｂ）の発光ダイオードを点灯する期間は，タイミング制御部８００によって提供される制御信号によって同期されることができる。
【００６２】
モード変換部７００は，タイミング制御部８００から入力されるモード信号（Ｓｍ）に応じてバリア１００’の液晶配列を制御する。
【００６３】
タイミング制御部８００は，外部またはグラフィック制御器（図示せず）から印加されるデータ，水平周期信号（Ｈｓｙｎｃ），垂直同期信号（Ｖｓｙｎｃ），およびモード信号（Ｍｏｄｅ）に応じて，データ，生成された制御信号（Ｓｇ，Ｓｄ，Ｓｂ），およびモード信号（Ｓｍ）をそれぞれ走査駆動部２００，データ駆動部４００，光源制御部６００およびモード変換部７００に供給する。ここで，タイミング制御部８００に印加されるデータは，平面映像データまたは立体映像データ，または一部領域に対して平面映像データおよび立体映像データが混合したデータであることができる。
【００６４】
走査駆動部２００は，タイミング制御部８００から出力される制御信号（Ｓｇ）に応じて選択信号を順次生成して表示部１００の走査線Ｓ１〜Ｓｎにそれぞれ印加する。
【００６５】
データ駆動部４００は，タイミング制御部８００から印加されるデータを表示部１００のデータ線Ｄ１〜Ｄｍに印加するためのデータ信号に変換し，タイミング制御部８００から入力される制御信号（Ｓｄ）に応じて変換されたデータ信号をデータ線Ｄ１〜Ｄｍに印加する。図２においては，データ駆動部４００は，タイミング制御部８００から信号が印加されるものと示されているが，これに制限されるものではない。
【００６６】
データ処理部３００は，立体映像表示活性化信号に応じて，受けたデータをそのままタイミング制御部８００に伝達するか，または受けたデータの少なくとも一部を左眼用データおよび右眼用データに変換して，立体映像データを生成し，生成された立体映像データをタイミング制御部８００に伝達する。タイミング制御部８００に伝達されたデータは，データ駆動部４００に伝達される。図２においては，データ処理部３００がタイミング制御部８００の前端に形成されているものとして示されているが，データ処理部３００の位置はこれに制限されるものではない。
【００６７】
以下，図４に基づいて，本発明の第１実施形態に係るデータ処理部３００を具体的に説明する。図４は，本発明の第１実施形態に係るデータ処理部３００を概略的に示す。
【００６８】
（第１実施形態）
図４のデータ処理部３００は，データ経路判断部３１０，領域検出部３２０，データ変換部３３０，データ合成部３４０，深さ情報抽出部３５０，データ変換部３６０，および多重化部３７０を含む。
【００６９】
データ経路判断部３１０は，入力される立体映像表示活性化信号に応じて，入力されるデータを立体映像に変換するか否か，かつ入力されるデータの処理経路を判断する。立体映像表示活性化信号は，データの少なくとも一部を立体映像データへの変換可否を決定する。立体映像表示活性化信号は，使用者が使用者インターフェースを介して直接印加するか，あるいは，立体映像表示装置が既に設定されて記憶された所定の条件を満たす場合に発生できる。このような所定の条件とは，立体映像表示装置が移動通信端末機の場合，電話受信またはＳＭＳ受信などを含むことができる。この場合，立体映像表示装置は，電話受信またはＳＭＳ受信の時に，立体映像表示活性化信号を生成してデータ経路判断部３１０に伝達し，データ経路判断部３１０は，立体映像表示活性化信号に応じて，電話受信またはＳＭＳ受信に対応して設定された立体映像を使用者に提供することができる。
【００７０】
また，データ経路判断部３１０は，外部から入力されるデータの少なくとも一部を立体映像データに変換するため，入力されるデータの種類を分析し，それによって適合したデータ処理経路を判断する。入力されるデータの種類は，二次元映像用データ，三次元映像用データ，または立体映像用データを含む。このようなデータの種類判断は，データ内に含まれた空間情報に基づいてなすことができる。詳述すれば，データ内にＸ座標情報，Ｙ座標情報，Ｚ座標情報が含まれている場合，三次元映像用データと判断され，データが左眼用データおよび右眼用データに分離されている場合は，立体映像用データと判断され，データ内にＸ座標情報，Ｙ座標情報が含まれる場合，二次元映像用データと判断される。
【００７１】
データ経路判断部３１０は，データが二次元映像用データの場合，領域検出部３２０，データ変換部３３０，およびデータ合成部３４０を含む二次元映像用データ処理経路に伝達し，三次元映像用データの場合は，深さ情報抽出部３５０，データ変換部３６０，およびデータ合成部３４０を含む三次元映像用データ処理経路に伝達する。データが立体映像用データの場合は，多重化部３７０に直接伝達する。
【００７２】
まず，二次元映像データ処理経路を説明する。領域検出部３２０は，入力されるデータのなかで，立体映像として表現すべきデータを検出してデータ変換部３３０に伝送する。具体的に，表示部１００内に配列されている画素の全てにそれぞれ対応する全てのデータのなかで，立体映像として表示すべき少なくとも一部の画素領域（以下，‘立体映像表示領域’という）に対応するデータを検出する。ここで，全てのデータによって表示される映像は，使用者インターフェースを形成することができる。全てのデータは，表示部１００の全ての画素に対応し，外部から入力されるデータである。立体映像として表示すべき少なくとも一部の画素領域に対応するデータとは，つまり，外部から入力されるデータにおいて，表示部１００の全ての画素のうちの少なくとも一部の画素にそれぞれ対応する第１データである。
【００７３】
使用者インターフェースは，一つ以上のメニューアイコンを含み，各メニューアイコンは，使用者に提供される各種機能にそれぞれ対応する。使用者が使用者インターフェース内の特定メニューアイコンを選択する場合，領域検出部３２０は，選択されたメニューアイコンに対応するデータを検出する。使用者によるメニューアイコンの選択は，立体映像表示装置を操作する所定の操作手段（リモコン，またはキーパッドなど）によって行われ，操作手段の操作（例えば，方向キーの操作）によって使用者インターフェース内のメニューアイコンが順次選択され，それによって領域検出部３２０は，立体映像に対応するデータを順次検出することができる。つまり，第１データは，使用者インターフェースで使用者によって選択される領域，例えば，メニューアイコンの領域に対応するデータである。
【００７４】
一方，使用者がタッチパッド，またはタッチスクリーンなどを介して使用者インターフェースから特定メニューアイコンを直接選択する場合，領域検出部３２０は，表示部１００の使用者の選択位置をサンプリングして選択位置の位置情報（Ｘ座標，Ｙ座標）を獲得し，位置情報を含むメニューアイコンに対応するデータを検出することができる。つまり，領域検出部３２０は，使用者インターフェースで，使用者によって選択されたポインティング手段，例えば，タッチパッド，またはタッチスクリーンで選択されたメニューアイコンに対応する位置を含む領域に相当するデータを第１データとして検出することができる。
【００７５】
データ変換部３３０は，領域検出部３２０から受けた立体映像表示領域に対応するデータ，つまり，第１データを左眼用データおよび右眼用データに変換する。
【００７６】
本実施形態に係るデータ変換部３３０は，外部から入力されるデータのうちの第１データに対応するそれぞれ画素を左／右に所定の距離だけ移動させて，左眼用データおよび右眼用データに変換する。本実施形態において，データ変換部３３０は，第１データ変換部に相当する。本実施形態においては，立体映像として表示されない領域では，左眼用画素および右眼用画素に対して，同一のデータが書き込まれると仮定する。立体映像として表示される領域の場合，データ変換部３３０は，第１データにおいて，左眼用画素に対応するデータを当該左眼用画素から左側に所定数の画素だけ移動させて左眼用データに変換し，第１データにおいて，右眼用画素に対応するデータを当該右眼用画素から右側に所定数の画素だけ移動させて右眼用データに変換する。従って，移動した画素の数に相当する深さ，つまり，ディスパリティを有する右眼用データおよび左眼用データに変換できるので，観察者は，左眼用データによる左眼用映像および右眼用データによる右眼用映像を，バリア１００’によって左眼および右眼で認識する際，ディスパリティを有する立体映像として認識することができる。
【００７７】
つまり，データ変換部３３０は，立体映像表示領域の画素に相当する第１データにおいて，少なくとも一部のデータである第２データの中で，第２データの一部のデータに対応する画素が行方向に第１数の画素だけ，左側に位置する左眼用画素に対応するようにして，第２データの一部のデータを左眼用データに変換できる。また，第２データの他の一部のデータに対応する画素が行方向に第２数の画素だけ，右側に位置する右眼用画素に対応するようにして，第２データの他の一部のデータを右眼用データに変換できる。上記以外にも，データ変換部３３０は，立体映像表示領域の画素に相当する第１データにおいて，少なくとも一部の第２データを，第２データに対応する各々の画素が行方向に第１数の画素だけ，左側または右側に位置する左眼用画素または右眼用画素に対応するようにして左眼用データまたは右眼用データに変換でき，第１データにおいて，さらにその他の第３データを，第３データに対応する各々の画素が行方向に第２数の画素だけ，左側または右側に位置する左眼用画素または右眼用画素に対応するようにして左眼用データまたは右眼用データに変換できる。この場合，さまざまな深さ（ディスパリティ）を有する左眼用データおよび右眼用データを得る事ができるので，より高度な立体映像を得ることができる。
【００７８】
この際，データ変換部３３０の画素移動に対する所定の数は，選択されたメニューアイコンの大きさ，立体映像表示方法がレンチキュラー方式であるか，またはパララックスバリア方式であるかによって設定できる。パララックスバリア方式の場合，開口率，または表示部１００の大きさなどによってそれぞれ異なるように設定できる。本実施形態においては，表示部１００の大きさが２．２インチ，その解像度がＱＶＧＡ級の場合，画素の数は，左／右方向にそれぞれ４〜８画素にする。しかし，表示部１００の大きさが２２インチ以上の場合には，画素の数は，１６画素以上であり得る。また，このような画素の数は，使用者によって適切に調節することができる。つまり，第１数，第２数は，使用者によって変更可能である。
【００７９】
つぎに，三次元映像用データ処理経路を説明する。深さ情報抽出部３５０は，外部から入力される三次元映像用データ内に含まれた深さ情報を抽出してデータ変換部３６０に伝送する。本実施形態では，外部から入力されるデータが，三次元空間情報を有するデータであるため，表示部１００において立体映像を表示できるデータとなる。また，外部から入力されるデータの一部が三次元空間情報を有する場合もある。
【００８０】
三次元映像用データは，映像を三次元で表現するために，各データに対する空間情報（Ｘ座標，Ｙ座標，およびＺ座標）を含む。深さ情報抽出部３５０は，このようなデータに対する空間情報を用いてデータに対する深さ情報を抽出する。具体的に，深さ情報抽出部３５０は，データの空間座標のなかで，Ｚ座標に対応するように深さ情報を設定して抽出することができる。具体的に，正の方向への最大Ｚ座標を深さ情報１０とし，負の方向への最大Ｚ座標を深さ情報０として，Ｚ座標から深さ情報を抽出することができる。
【００８１】
入力される三次元映像用データによって表示される映像は，所定のメニューアイコンおよび背景などを含む使用者インターフェースを形成することができる。この場合，深さ情報抽出部３５０は，各メニューアイコンおよび背景に対する深さ情報をそれぞれ抽出してデータ変換部３６０に伝送する。
【００８２】
図４に示す三次元映像用データ処理経路には示されていないが，二次元映像用データ処理経路と同様に，本実施形態に係る三次元映像用データ処理経路は，領域検出部（図示せず）を含むことができる。本実施形態において，領域検出部は，表示部１００内に配列される全ての画素に対応する全てのデータにおいて，一部の画素に対応する第１データを検出することができる。この場合，深さ情報抽出部３５０は，領域検出部で検出された第１データに対して所定の深さ情報（例えば，２）をさらに付け加えることができる。具体的に，領域検出部によって検出されたデータの元の深さ情報が７の場合，データの最終深さ情報は７＋２＝９となる。また，領域検出部で検出される第１データは，使用者インターフェースにおいて，使用者によって選択された領域に対応するデータである。本実施形態では，外部から入力されるデータの中の第１データに対して，さらに所定の深さ情報を付け加えることができ，これにより，使用者によって選択された領域がそれ以外の領域に比べて，より一層立体化された映像で表示することができる。つまり，表示部１００全体で表示される立体映像において，使用者が選択した領域をより立体化するので，使用者にとって区分しやすい映像となる。
【００８３】
データ変換部３６０は，深さ情報抽出部３５０から三次元映像用データに対する深さ情報を受信し，受信された深さ情報を用いて三次元映像用データに対応する左眼用データおよび右眼用データを生成する。本実施形態において，データ変換部３６０は，第２データ変換部に相当する。入力されたデータに対し，対応する深さ情報を用いて左眼用データおよび右眼用データを生成する方法は，次の通りである。
【００８４】
外部から入力される三次元空間情報を有するデータに対応するそれぞれ画素を左／右に所定の距離だけ，移動させて，左眼用データおよび右眼用データに変換する。データ変換部３６０は，三次元空間情報を有するデータにおいて，一部のデータに対応する画素が行方向に第１数の画素だけ，左側に位置する左眼用画素に対応するようにして一部のデータを左眼用データに変換できる。また，三次元空間情報を有するデータにおいて，さらに他のデータに対応する画素が行方向に第２数の画素だけ，右側に位置する右眼用画素に対応するようにしてさらに他のデータを右眼用データに変換できる。ここで，画素の移動する数，第１数および第２数は，深さ情報抽出部３５０より抽出された深さ情報によって決定される。従って，データに含まれる三次元空間情報（深さ情報）に対応した画素の数だけ，移動して左眼用データおよび右眼用データを得る事ができるので，観察者は，左眼用データによる左眼用映像および右眼用データによる右眼用映像を，バリア１００’によって左眼および右眼で認識する際，深さ情報に対応した深さ（ディスパリティ）を有する立体映像として認識することができる。
【００８５】
データ合成部３４０は，データ変換部３３０またはデータ変換部３６０から左眼用データおよび右眼用データを受け，入力された左眼用データおよび右眼用データを表示部１００の左眼用画素および右眼用画素にそれぞれ印加するように配列して立体映像データを合成することができる。この際，データ合成部３４０は，表示部１００の左眼用画素および右眼用画素の配列方式に対応するように，左眼用データおよび右眼用データを配列して立体映像データを合成することができる。
【００８６】
データ合成部３４０の左眼用データおよび右眼用データの配列方法は，表示部１００の左眼用画素および右眼用画素の配列方式によって変更できる。例えば，表示部１００の左眼用画素および右眼用画素がストライプ形状，またはジグザグ形状で配列されている場合，データ合成部３４０は，左眼用データおよび右眼用データをストライプ形状，またはジグザグ形状で配列されている表示部１００の左眼用画素および右眼用画素に対応するように，配列して，立体映像データを合成することができる。また，本実施形態の二次元映像用データ処理経路において，データ合成部３４０は，左眼用データおよび右眼用データとともに，領域検出部３２０によって検出されなくて，左眼用データまたは右眼用データに変換されなかったデータを表示部１００の画素にそれぞれ対応するように配列して立体映像データを合成することができる。ここで，領域検出部３２０によって検出されなくて，左眼用データまたは右眼用データに変換されなかったデータとは，外部から入力されるデータにおいて，立体映像表示領域に対応する第１データ以外の第４データであり，表示部１００で平面映像を表示する画素に対応するデータである。
【００８７】
多重化部３７０は，データ変換部３３０，データ変換部３６０，データ合成部３４０で合成された立体映像データ，および立体映像表示活性化信号を受け，立体映像表示活性化信号に応じて，データまたは立体映像データを選択的にデータ駆動部４００に伝達する。
【００８８】
具体的に，使用者が立体映像使用者インターフェースを使おうとしない場合，使用者は，立体映像表示活性化信号を印加しなくなり，その結果，データは，多重化部３７０にそのまま印加され，多重化部３７０は，印加されるデータをデータ駆動部４００にそのまま伝達する。一方，使用者が立体映像使用者インターフェースを使おうとする場合，使用者は，立体映像表示活性化信号を印加することになり，その結果，少なくとも一部のデータを二次元映像用データ処理経路または三次元映像用データ処理経路を通して左眼用データおよび右眼用データで変換し，それから立体映像データを生成して多重化部３７０に印加し，多重化部３７０は，立体映像表示活性化信号に応じて立体映像データをタイミング制御部８００によってデータ駆動部４００に伝達する。
【００８９】
データ駆動部４００は，データまたは立体映像データを受け，入力されたデータまたは立体映像データをそれぞれ対応するアナログデータ電圧であるデータ信号に変換して表示部１００のデータ線にそれぞれ印加する。データ駆動部４００は，デジタル信号である入力されるデータまたは立体映像データをアナログ信号であるデータ信号に変換するために，デジタル／アナログ変換部，レベルシフタおよび抵抗ラダー部などを含むことができる。このようなデータ駆動部４００についての詳しい説明は，本発明の明細書で省略する。
【００９０】
図５ａは，本実施形態に係る立体映像表示装置により，使用者によって選択されたメニューが立体映像で表示された立体映像使用者インターフェースを示す。図５ｂは，本実施形態に係る立体映像表示装置により，使用者によって選択されたアイコンおよびテキストメニューがそれぞれ立体映像で表示された立体映像使用者インターフェースを示す。図５ｃは，本実施形態に係る立体映像表示装置により，全画面が立体映像として表示される立体映像使用者インターフェースを示す。図５ａ〜図５ｃにおいて，矢印が指す破線領域は，立体映像で具現された領域である。つまり，図５ａ，図５ｂは，本発明の第１実施形態に係る立体映像表示装置において，二次元映像データ処理経路によって使用者が選択した領域（第１データ）が，立体化されて表示される使用者インターフェースを示す。また，図５ｃは，本発明の第１実施形態に係る立体映像表示装置において，三次元映像データ処理経路によって，外部から入力されるデータ全てに相当する領域が立体化されて表示される使用者インターフェースを示す。
【００９１】
以下，図６に基づいて，本発明の第２実施形態に係る二次元映像用データを用いて立体映像使用者インターフェースを具現する二次元映像用データ処理部について具体的に説明する。
【００９２】
（第２実施形態）
図６は，本発明の第２実施形態に係る二次元映像用データ処理部の構成を示す。二次元映像用データ処理部は，データ経路判断部３１０，領域検出部３２０，深さ情報付加部３２５，データ変換部３３０，データ合成部３４０，および多重化部３７０を含む。
【００９３】
データ経路判断部３１０は，立体映像表示活性化信号を受信してデータを受け，入力されるデータが二次元映像用データの場合，データを領域検出部３２０に伝達する。具体的に，データ経路判断部３１０は，二次元映像識別信号／三次元映像識別信号から入力されるデータが二次元映像用データであるかを判別し，データを領域検出部３２０に伝送する。図６においては，印加される二次元映像識別信号／三次元映像識別信号でデータの種類を判断するものと記載されているが，データ内に含まれた空間情報を用いてデータ種類を判別することもできる。データ経路判断部３１０についての詳細な説明は，先に詳しく説明したので，ここでは省略する。
【００９４】
領域検出部３２０は，外部から入力されるデータのなかで，立体映像として表現すべきデータ，すなわち立体映像表示領域に対応するデータを検出して深さ情報付加部３２５に伝送する。外部から入力されるデータは，表示部１００の全ての画素に対応し，外部から入力されるデータに対応する表示部１００の全ての画素によって表示される映像は，使用者インターフェースとなる。ここで，立体映像として表現すべきデータとは，外部から入力されるデータのうち，少なくとも一部の画素にそれぞれ対応する第１データである。第１データに対応する画素によって構成される領域は，立体映像として表示される領域である。第１データは，使用者インターフェースで使用者によって選択された領域の画素に相当するデータである。
【００９５】
使用者インターフェースは，一つ以上のメニューアイコンを含み，各メニューアイコンは，使用者に提供される各種機能にそれぞれ対応する。使用者が使用者インターフェース内の特定メニューアイコンを選択する場合，領域検出部３２０は，選択されたメニューアイコンに対応するデータを検出する。使用者によるメニューアイコンの選択は，立体映像表示装置を操作する所定の操作手段（リモコン，またはキーパッドなど）によって行われ，操作手段の操作（例えば，方向キーの操作）によって使用者インターフェース内のメニューアイコンが順次選択され，それによって領域検出部３２０は，立体映像に対応するデータを順次検出することができる。つまり，第１データは，使用者インターフェースで使用者によって選択される領域，例えば，メニューアイコンの領域に対応するデータである。
【００９６】
一方，使用者がタッチパッド，またはタッチスクリーンなどを介して使用者インターフェースから特定メニューアイコンを直接選択する場合，領域検出部３２０は，表示部１００の使用者の選択位置をサンプリングして選択位置の位置情報（Ｘ座標，Ｙ座標）を獲得し，位置情報を含むメニューアイコンに対応するデータを検出することができる。つまり，領域検出部３２０は，使用者インターフェースで，使用者によって選択されたポインティング手段，例えば，タッチパッド，またはタッチスクリーンで選択されたメニューアイコンに対応する位置を含む領域に相当するデータを第１データとして検出することができる。
【００９７】
深さ情報付加部３２５は，領域検出部３２０から伝送される立体映像表示領域に対応するデータ（第１データ）に対し，既に設定されて記憶された深さ情報マップを用いてそれぞれ深さ情報を付与する。ここで，深さ情報は，表示部１００の画面を基準面とした時，観察者に見える画像と基準面との距離に対応する。具体的に，深さ情報を１０段階で構成する場合，深さ情報が１０の場合は，基準面に対して観察者側に最も大きく出て映像が表示され，深さ情報が０の場合は，基準面に対して観察者から最も後退して映像が表示され，深さ情報が５の場合は，基準面に映像が表示される。一方，深さ情報は，ディスパリティと対応して定義できる。すなわち，深さ情報が１０の場合は，ディスパリティが５，深さ情報が５の場合は，ディスパリティが０，そして深さ情報が０の場合は，ディスパリティが−５となるように設定することができる。また，データから左眼用データおよび右眼用データの生成のために移動する画素距離は，このような深さ情報にそれぞれ対応するように設定できる。すなわち，深さ情報が１０の場合は，画素移動距離を８画素，深さ情報が８の場合は画素移動距離を４画素などにすることができる。
【００９８】
深さ情報マップは，表示しようとする使用者インターフェースの所定のメニューアイコンなどにそれぞれ深さ情報を付与して形成されたマップを意味する。具体的に，使用者インターフェースが所定のメニューアイコンおよび背景で構成されている場合，各メニューアイコンおよび背景に対して所定の深さ情報をそれぞれ付与する。例えば，第１メニューアイコンに深さ情報１０，第２メニューアイコンに深さ情報８，そして背景に深さ情報５を付与することができる。入力されたデータが第１メニューアイコンに対応する場合，データ変換部３３０は，深さ情報１０に対応するように，データを左／右に８画素距離だけ移動させて左眼用データおよび右眼用データを形成する。
【００９９】
深さ情報マップの設定方法には，制限がない。具体的に，深さ情報マップ内のメニューアイコンにおいて，メニューアイコンの内部に最大の深さ情報１０を設定し，それから深さ情報を段々低めてアイコンの境界に７を設定し，背景には，５を設定するなど，階層的に付与することができる。
【０１００】
深さ情報マップは，使用者インターフェースに対応するように設定されてデータ変換部３３０に記憶され，使用者インターフェースが一つ以上の場合，データ変換部３３０は，各使用者インターフェースに対する深さ情報マップをそれぞれ記憶する。このような深さ情報マップおよび深さ情報マップ内のメニューアイコンおよび背景などに対する深さ情報は，使用者によって変更可能である。図６においては，深さ情報付加部３２５を用いて深さ情報を付け加える方法が記載されているが，図４のように，深さ情報マップを用いなく，領域検出部３２０で検出された領域に対応するデータをそれぞれ所定の数の画素だけ左／右に移動して左眼用データおよび右眼用データを生成するように具現することができる。しかし，図６のように，深さ情報付加部３２５を用いる場合，データに多様な深さ情報を付け加えて立体映像を一層具体的に表現することができる利点がある。
【０１０１】
一方，図６には示されていないが，領域検出部３２０から伝送される立体映像表示領域に対応するデータ（第１データ）に対し，深さ情報以外の効果情報を付け加える効果付加部（図示せず）を含むことができる。立体映像表示領域に対応するデータに深さ情報とともに付加することができる効果情報としては，色相情報，点滅情報，音響情報などを含むことができる。深さ情報とともに色相情報を付け加える場合，使用者が特定メニューアイコンを選択する場合，選択されたメニューアイコンは，立体映像で表現されるとともに，所定の色相でハイライトされることができる。深さ情報とともに点滅情報を付け加える場合，使用者が特定メニューアイコンを選択すると，選択されたメニューアイコンは，立体映像で表現されるとともに，所定の時間間隔で点滅されることができる。深さ情報とともに音響情報を付け加える場合，特定メニューアイコンを選択すると，選択されたメニューアイコンは，立体映像で表現されるとともに，所定の音響効果を表すことができる。
【０１０２】
データ変換部３３０は，深さ情報付加部３２５から提供された深さ情報を用いて，領域検出部３２０で検出された立体映像表示領域に対応するデータ（第1データ）を左眼用データおよび右眼用データに変換してデータ合成部３４０に伝送する。データ変換部３３０は，外部から入力されるデータの中の第１データに対応するそれぞれ画素を左／右に所定の距離だけ移動させて，左眼用データおよび右眼用データに変換する。本実施形態においては，立体映像として表示されない領域では，左眼用画素および右眼用画素に対して，同一のデータが書き込まれると仮定する。立体映像として表示される領域の場合，データ変換部３３０は，第１データにおいて，左眼用画素に対応するデータを当該左眼用画素から左側に所定数の画素だけ移動させて左眼用データに変換し，第１データにおいて，右眼用画素に対応するデータを当該右眼用画素から右側に所定数の画素だけ移動させて右眼用データに変換する。
【０１０３】
つまり，データ変換部３３０は，立体映像表示領域の画素に相当する第１データにおいて，少なくとも一部のデータである第２データの中で，第２データの一部のデータに対応する画素が行方向に第１数の画素だけ，左側に位置する左眼用画素に対応するようにして，第２データの一部のデータを左眼用データに変換できる。また，第２データの他の一部のデータに対応する画素が行方向に第２数の画素だけ，右側に位置する右眼用画素に対応するようにして，第２データの他の一部のデータを右眼用データに変換できる。上記以外にも，データ変換部３３０は，立体映像表示領域の画素に相当する第１データにおいて，少なくとも一部の第２データを，第２データに対応する画素が行方向に第１数の画素だけ，左側または右側に位置する左眼用画素または右眼用画素に対応するようにして左眼用データまたは右眼用データに変換でき，第１データにおいて，さらにその他の第３データを，第３データに対応する画素が行方向に第２数の画素だけ，左側または右側に位置する左眼用画素または右眼用画素に対応するようにして左眼用データまたは右眼用データに変換できる。この場合，さまざまな深さ（ディスパリティ）を有する左眼用データおよび右眼用データを得る事ができるので，より高度な立体映像を得ることができる。
【０１０４】
そして，第２データまたは第３データをデータ変換部３３０で左眼用データまたは右眼用データに変換する際において，画素の移動する数，第１数，第２数は，深さ情報付加部３２５から付与される深さ情報によって決定される。深さ情報は，第２データ，第３データそれぞれに対応する。従って，データ変換部３３０に記憶されている深さ情報マップの深さ情報に対応した画素の数だけ，移動して左眼用データおよび右眼用データを得る事ができるので，観察者は，左眼用データによる左眼用映像および右眼用データによる右眼用映像を，バリア１００’によって左眼および右眼で認識する際，深さ情報に対応した深さ（ディスパリティ）を有する立体映像として認識することができる。深さ情報は，使用者によって変更可能であるため，第１数，第２数も使用者によって変更可能である。
【０１０５】
データ合成部３４０は，データ変換部３３０から得た左眼用データおよび右眼用データを表示部１００の左眼用画素および右眼用画素の配列方法に対応するように配列して立体映像データを合成する。つまり，データ合成部３４０は，データ変換部３３０から左眼用データおよび右眼用データを受け，入力された左眼用データおよび右眼用データを表示部１００の左眼用画素および右眼用画素にそれぞれ印加するように配列して立体映像データを合成することができる。データ合成部３４０の左眼用データおよび右眼用データの配列方法は，表示部１００の左眼用画素および右眼用画素の配列方式によって変更できる。例えば，表示部１００の左眼用画素および右眼用画素がストライプ形状，またはジグザグ形状で配列されている場合，データ合成部３４０は，左眼用データおよび右眼用データをストライプ形状，またはジグザグ形状で配列されている表示部１００の左眼用画素および右眼用画素に対応するように，配列して，立体映像データを合成することができる。また，データ合成部３４０は，左眼用データおよび右眼用データとともに，領域検出部３２０によって検出されなくて，左眼用データまたは右眼用データに変換されなかったデータを表示部１００の画素にそれぞれ対応するように配列して立体映像データを合成する。ここで，領域検出部３２０によって検出されなくて，左眼用データまたは右眼用データに変換されなかったデータとは，外部から入力されるデータにおいて，立体映像表示領域に対応する第１データ以外の第４データであり，表示部１００で平面映像を表示する画素に対応するデータである。
【０１０６】
本発明の実施形態では，一部の領域だけを立体映像表示領域とし，残り領域に対しては平面映像表示領域とすることもできる。この場合，データ合成部３４０は，立体映像表示領域に対応する画素に対しては，第１データ（立体映像表示領域に提供されるデータ）をデータ変換部３３０によって各々変換した左眼用データおよび右眼用データを配列し，平面映像表示領域に対応する画素に対しては，第１データを除外した第４データ（平面映像表示領域に提供されるデータ）を配列する。
【０１０７】
以下，図７に基づいて，本発明の第３実施形態に係る三次元映像用データを用いて立体映像使用者インターフェースを具現する三次元映像用データ処理部について具体的に説明する。
【０１０８】
（第３実施形態）
図７は，本発明の第３実施形態に係る三次元映像用データ処理部の構成を示す。三次元映像データ処理部は，データ経路判断部３１０，領域検出部３２０，深さ情報抽出部３５０，効果付加部３５５，データ変換部３６０，データ合成部３４０，および多重化部３７０を含む。
【０１０９】
データ経路判断部３１０は，立体映像表示活性化信号を受信してデータを受け，外部から入力されるデータが三次元映像用データの場合，データを領域検出部３２０に伝達する。具体的に，データ経路判断部３１０は，二次元映像識別信号／三次元映像識別信号から入力されるデータが三次元映像用データであるかを判別し，データを領域検出部３２０に伝送する。本実施形態では，外部から入力されるデータが，三次元空間情報を有するデータであるため，表示部１００において立体映像を表示できるデータとなる。また，外部から入力されるデータの一部が三次元空間情報を有する場合もある。
【０１１０】
領域検出部３２０は，入力されるデータのなかで，さらに立体化された映像で表現すべきデータを検出して深さ情報抽出部３５０に伝送する。本実施形態において，領域検出部３２０は，表示部１００内に配列される全ての画素に対応する全てのデータ（外部から入力されるデータ）において，一部の画素に対応する第１データを検出することができる。外部から入力されるデータに対応する表示部１００の全ての画素によって表示される映像は，使用者インターフェースとなる。第１データは，使用者インターフェースで使用者によって選択された領域の画素に相当するデータである。
【０１１１】
深さ情報抽出部３５０は，入力される三次元映像用データに含まれた空間情報を用いて，データに対してそれぞれ深さ情報を計算してデータ変換部３６０に伝送する。図７に示す深さ情報抽出部３５０は，三次元映像用データに既に含まれた空間座標情報を用いて，左眼用画素に対する空間座標および右眼用画素に対する空間座標をそれぞれ計算し，それから深さ情報を計算する。
【０１１２】
本実施形態に係る深さ情報抽出部３５０は，領域検出部３２０から検出されたデータ（第１データ）に対しては，そのデータの空間情報から抽出される深さ情報に既に設定された深さ情報を付け加えて出力する。この場合，領域検出部３２０で検出されたデータは，検出されなかった他のデータと区別される深さ情報を有することになる。本実施形態では，外部から入力されるデータの中の第１データに対して，深さ情報抽出部３５０によって，さらに所定の深さ情報を付け加えることができ，これにより，使用者によって選択された領域がそれ以外の領域に比べて，より一層立体化された映像で表示することができる。つまり，表示部１００全体で表示される立体映像において，使用者が選択した領域をより立体化するので，使用者にとって区分しやすい映像となる。
【０１１３】
効果付加部３５５は，領域検出部３２０で検出されたデータに所定の効果を付け加える。このような所定の効果としては，色相効果，点滅効果，または音響効果などを含むことができる。効果が色相効果の場合，効果付加部３５５は，領域検出部３２０で検出された領域に対応するデータに所定の色相情報を付け加え，効果が点滅効果の場合，効果付加部３５５は，領域検出部３２０で検出されたデータに所定の点滅情報を付け加え，効果が音響効果の場合，効果付加部３５５は，領域検出部３２０で検出されたデータに所定の音響効果を付け加えることができる。
【０１１４】
データ変換部３６０は，深さ情報抽出部３５０からデータに対する深さ情報を受信し，効果付加部３５５からデータに対する所定の効果情報を受信し，受信された深さ情報または効果情報を用いて，データを左眼用データおよび右眼用データに変換してデータ合成部３４０に伝送する。データ変換部３６０は，深さ情報抽出部３５０より抽出された深さ情報に対応して，外部から入力されるデータに対応する画素を，所定の数の画素だけ左側および右側に移動させて左眼用データおよび右眼用データに変換することができる。移動させる画素の数は，深さ情報によって決定される。
【０１１５】
詳述すると，入力されたデータに対応する深さ情報を用いて左眼用データおよび右眼用データを生成する方法は，次の通りである。外部から入力され，三次元空間情報を有するデータに対応するそれぞれ画素を左／右に所定の距離だけ，移動させて，左眼用データおよび右眼用データに変換する。つまり，データ変換部３６０は，三次元空間情報を有するデータにおいて，一部のデータを，一部のデータに対応する画素が行方向に第１数の画素だけ，左側に位置する左眼用画素に対応するようにして左眼用データに変換できる。また，三次元空間情報を有するデータにおいて，さらに他の一部のデータを，さらに他の一部のデータに対応する画素が行方向に第２数の画素だけ，右側に位置する右眼用画素に対応するようにして右眼用データに変換できる。ここで，画素の移動する数，第１数および第２数は，深さ情報抽出部３５０より抽出された深さ情報によって決定される。従って，データに含まれる三次元空間情報（深さ情報）に対応した画素の数だけ，移動して左眼用データおよび右眼用データを得る事ができるので，観察者は，左眼用データによる左眼用映像および右眼用データによる右眼用映像を，バリア１００’によって左眼および右眼で認識する際，深さ情報に対応した深さ（ディスパリティ）を有する立体映像として認識することができる。
【０１１６】
データ合成部３４０は，データ変換部３６０から得た左眼用データおよび右眼用データを表示部１００の左眼用画素および右眼用画素の配列方法に対応するように配列して立体映像データを合成する。従って，本実施形態の立体映像表示装置は，入力される使用者インターフェースデータが三次元映像用データの場合，使用者インターフェースの少なくとも一部の領域をより立体化された映像で具現する方法を提供することができる。
【０１１７】
以下，図８に基づいて，本発明の実施形態の立体映像表示装置を含む移動通信端末機を説明する。図８は，本発明の実施形態の立体映像表示装置を含む本発明の第４実施形態に係る移動通信端末機の例示図である。
【０１１８】
（第４実施形態）
図８に示すように，本発明の第４実施形態に係る移動通信端末機は，ディスプレイ部９１０および本体９２０を含む。
【０１１９】
ディスプレイ部９１０は，本発明の実施形態に係る立体映像表示装置の表示部１００およびバリア１００’などを含むように構成できる。
【０１２０】
本体９２０は，キーパッド，通信モジュール，および制御部を含み，キーパッドを介して入力される使用者の入力を制御部で認識し，データを処理するか，または通信モジュールを介して移動通信を行う。ここで，制御部は，本発明の実施形態に係る立体映像表示装置のデータ処理部３００およびタイミング制御部８００などを含むように構成できる。図８に示す移動通信端末機は，既に保存されたデータ，または通信により受信されたデータを立体映像に変換してディスプレイ部９１０で表示することができる。つまり，本実施形態は，使用者によって入力されるデータから発生する信号，または移動通信端末機が所定の条件を満たす時，発生する信号である立体映像表示活性化信号に応じて，使用者によって選択されたデータまたは所定の条件に対応した立体映像を実現できる。ここで，移動通信端末機の満たす所定の条件とは，有線通信または無線通信により受信される電話着信信号，またはＳＭＳ信号などが印加される条件である。この場合，移動通信端末機の立体映像表示装置は，電話受信またはＳＭＳ受信の時に，立体映像表示活性化信号を生成してデータ経路判断部３１０に伝達し，データ経路判断部３１０は，立体映像表示活性化信号に応じて，電話受信またはＳＭＳ受信に対応して設定された立体映像を使用者に提供することができる。この際，ディスプレイ部９１０は，使用者インターフェース，特に一部が立体映像で表現される使用者インターフェースを表現することができる。
【０１２１】
本発明の実施形態に係る立体映像表示装置は，使用者インターフェースのなかで少なくとも一部を立体映像で具現することにより，使用者インターフェースの一部を強調するか，または使用者インターフェースを立体的に具現することができる。具体的に，平面映像使用者インターフェースで使用者が選択するメニューアイコンに対して深さ情報を付与して立体映像で表現するか，または立体映像化された使用者インターフェースで，使用者が選択するメニューアイコンに対し，その領域を取り囲んだ周辺部と異なる深さ情報を付与して，周辺部に比べて，一層著しく表現することができる。
【０１２２】
また，本発明の実施形態に係る立体映像表示装置において，使用者インターフェースから提供されるメニューツリーを立体映像で具現する場合，使用者は，メインメニューから中間メニューを経らなくて末端メニューを直接選択することが可能になるので，使用者インターフェースの設計をより革新的にすることができる。
【０１２３】
以下，図９および図１０に基づいて，本発明の実施形態に係る立体映像表示装置により具現される立体映像使用者インターフェースのメニューツリーの構造を説明する。図９は，従来のメニューツリーの構造を示し，図１０は，本発明の実施形態に係る立体映像使用者インターフェースのメニューツリーの構造を示す。
【０１２４】
具体的に，図９のようなメニューツリーの構造においては，メインメニュー画面で末端メニューを選択するためには，メインメニュー選択画面および中間メニュー選択画面を経て末端メニュー選択画面で末端メニューを選択しなければならなく，末端メニュー選択画面でメインメニューを選択するためには，中間メニュー選択画面を経てメインメニュー選択画面に帰ってメインメニューを選択しなければならない。しかし，本発明の実施形態に係る立体映像表示装置を用いて，図１０のようにメニュー構造を立体映像で表現する場合，メインメニュー選択画面および中間メニュー選択画面を経る必要なしに，直接末端メニューを選択し，さらにメインメニューを選択することが可能である。図１０は，メインメニューに高い深さ情報，中間メニューに中間の深さ情報，および末端メニューに低い深さ情報をそれぞれ付与した画面を示す。
【０１２５】
一方，図１０の使用者インターフェースで付与された深さ情報を所定の条件によって変更するように構成することができる。具体的に，図１０の画面において，カメラ視点を回転させて，右側で使用者インターフェースを観察するようにすることができる。この場合，第ｎ末端メニューが使用者に最も近く位置することになる。したがって，第ｎ末端メニューの深さ情報は，増加しなければならなく，メインメニューの深さ情報は減少しなければならない。この場合，使用者は，中間メニューまたは末端メニューの選択のために，メインメニューを選択する必要なしにカメラ視点を回転して中間メニューまたは末端メニューを探して選択することが可能である。したがって，本発明の実施形態に係る立体映像使用者インターフェースを具現することができる立体映像表示装置は，使用者インターフェースのメニュー構成を立体的に構成して，より直観的なメニューの構成が可能であるため，
使用者に一層便利な使用者インターフェースを設計することが可能になる。
【０１２６】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【０１２７】
本発明は，使用者インターフェースの具現のために，入力されるデータのなかで少なくとも一部のデータを立体映像用データに変換することで，使用者インターフェースの少なくとも一部を立体映像で表現する立体映像表示装置，および立体映像表示装置を用いた移動通信端末機に適用可能である。
【図面の簡単な説明】
【０１２８】
【図１】ディスパリティによって観察者が感じる立体映像を示す図である。
【図２】本発明の実施形態に係る立体映像表示装置の概略図である。
【図３】図２の立体映像表示装置によって立体映像が表示される概念を示す図である。
【図４】本発明の第１実施形態に係るデータ処理部の構成を示すブロック図である。
【図５ａ】本発明の実施形態に係る立体映像表示装置により，使用者によって選択されたメニューが立体映像で表示された立体映像使用者インターフェースを示す図である。
【図５ｂ】本発明の実施形態に係る立体映像表示装置により，使用者によって選択されたアイコンおよびテキストメニューがそれぞれ立体映像で表示された立体映像使用者インターフェースを示す図である。
【図５ｃ】本発明の実施形態に係る立体映像表示装置により，全画面が立体映像で表示された立体映像使用者インターフェースを示す図である。
【図６】本発明の第２実施形態に係る二次元映像用データ処理部の概略図である。
【図７】本発明の第３実施形態に係る三次元映像用データ処理部の概略図である。
【図８】本発明の実施形態の立体映像表示装置を含む本発明の第４実施形態に係る移動通信端末機の例示図である。
【図９】一般的な使用者インターフェースのメニューツリーの構造を簡略に示す図である。
【図１０】本発明の実施形態に係る立体映像使用者インターフェースのメニューツリーの構造を簡略に示す図である。
【符号の説明】
【０１２９】
１００      表示部
１００’      バリア
１５０      左眼用画素
１５０’      不透明領域
１６０      右眼用画素
１６０’      透明領域
１７０      右眼
１８０      左眼
２００      走査駆動部
３００      データ処理部
３１０      データ経路判断部
３２０      領域検出部
３２５      深さ情報付加部
３３０      データ変換部
３４０      データ合成部
３５０      深さ情報抽出部
３６０      データ変換部
３７０      多重化部
４００      データ駆動部
５００      光源
６００      光源制御部
７００      モード変換部
８００      タイミング制御部
９１０      ディスプレイ部
９２０      本体
Ｄ１〜Ｄｍ      データ線
Ｓ１〜Ｓｎ      走査線
【図１】
2007013914.tif 000003
【図２】
2007013914.tif 000004
【図３】
2007013914.tif 000005
【図４】
2007013914.tif 000006
【図６】
2007013914.tif 000007
【図７】
2007013914.tif 000008
【図９】
2007013914.tif 000009
【図１０】
2007013914.tif 000010
【図５ａ】
2007013914.tif 000011
【図５ｂ】
2007013914.tif 000012
【図５ｃ】
2007013914.tif 000013
【図８】
2007013914.tif 000014